【手続補正書】
【提出日】平成16年8月25日(2004.8.25)
【手続補正１】
【補正対象書類名】明細書
【補正対象項目名】全文
【補正方法】変更
【補正の内容】
【書類名】明細書
【発明の名称】重ね合わせ冊子
【特許請求の範囲】
【請求項１】複数枚のシートの第一面に第一の情報が全体的に記載され、第二面に第二の情報が区分けして記載されると共に、少なくとも第二面には、通常では接着せず所定の条件を付与すると接着する感圧接着剤層が設けられた折り畳み自在な複数枚のシートであって、該シートを折り畳み、重ね合わせることで小冊子を形成し、各ページに各シートの上記第一情報、第二情報をそれぞれ表示する重ね合わせ冊子。
【発明の詳細な説明】
【０００１】
【発明の属する技術分野】
本発明は、第一情報と第二情報が互いの面に記載され、広げた状態でその第一情報を全体的に表示し、折り畳んだ状態で第二情報を区分けして記載された第二情報が表示できる重ね合わせ冊子に関するものである。
【０００２】
【従来の技術】
従来、パンフレット、案内状、説明書  等の小冊子は、複数枚のシートを重ね合わせ、折り部をホッチキスやファスナー、接着剤等の方法で綴っている。
【０００３】
図４に示すように、パンフレット８は、中央折り部にホッチキス９にて綴り形成したものであり、各シートのページは、ページ毎の個別情報が記載されてある。
【０００４】
【発明が解決しようとする課題】
従って、広げた状態で情報を全体に表示するには、重ね合わせの際に広げた情報となる様に対応する各シートに個別情報を記載しなければならず、情報の位置合わせ、重ね合わせが煩雑な手間になっている。更には、廃棄の際、ホッチキスの針等の綴り具や接着剤が再資源化の妨げになっている。
【０００５】
【課題を解決するための手段】
以上の課題を解決すべく、複数枚のシートの第一面に第一の情報が全体的に記載され、第二面に第二の情報が区分けして記載されると共に、少なくとも第二面には、通常では接着せず所定の条件を付与すると接着する感圧接着剤層が設けられた折り畳み自在な複数枚のシートであって、該シートを折り畳み、重ね合わせることで小冊子を形成し、各ページに各シートの上記第一情報、第二情報をそれぞれ表示する重ね合わせ冊子を構成した。
【０００６】
【発明の実施の形態】
以下図面に従って本発明を詳細に説明する。
【０００７】
図１は、本発明による重ね合わせ冊子１の表面の斜視図であり、図２は、そのＡ―Ａ線断面図、図３は本発明の他の実施例断面図である。図１及び図２で示すように、重ね合わせ冊子１は、冊子基材２の少なくとも情報が区分けして記載される面に通常では接着せず所定の条件を付与すると接着する感圧接着剤層３が設けられ、適宜部位を剥離可能に加圧接合したものである。
【０００８】
図２に示すように、冊子基材２の第一面４には、広げた状態で全体表示できる第一の情報５が記載され、感圧接着剤が塗布された第二面６に第二の情報７が区分けして記載されている。
【０００９】
図３で示すように、第二面６に、図示しない隠蔽情報を記載し、再剥離可能に対抗シート所定部位を感圧接着させても良い。本発明による重ね合わせ冊子によれば、これまで不可能であった多量の全体表示情報を容易に記載でき、隠蔽情報も冊子に記載でき、シートの枚数をコントロールすることでいかなる情報量にも対応することができる。
【００１０】
本発明によれば、通常では接着せず所定の条件を付与すると接着する感圧接着剤にて複数枚のシートを重ね合わせ、剥離可能に又は剥離不能に接着できるので、ホッチキス等の綴り具が不要であり、ホットメルト等、再資源化の際に妨げになる接着剤を使用する必要もなく、広げた状態で全体表示できる情報を同一面に記載できるので、情報の位置合わせが不要になり、製造コストの大幅な削減になる。
【００１１】
個別情報の記録または書き込み方式としては、種々の方式を用いることができ、たとえば電子写真記録、静電記録、放電破壊記録、電解記録、感熱記録、感圧記録、インパクト記録、インクジェット記録、熱転写記録などを挙げることができる。
【００１２】
（用いる材料について）
冊子基材としては、アート紙、コート紙、軽量コート紙等のいわゆる塗工紙を用い、塗工面上に接着剤層を設けたシートでもよい。さらに、合成紙やプラスチックフィルムであってもよい。
【００１３】
本発明において、感圧接着剤の基剤としては、ラテックス、具体的には天然ゴム系、合成ゴム系または合成樹脂系等の従来通常の感圧接着剤に使用されているものの中から任意に選択して用いることができるが、特に、天然ゴムを無硫黄加硫し、メタアクリル酸メチルと混合した天然ゴムラテックス、天然ゴムにメタアクリル酸メチルをグラフト重合させて得られた天然ゴムラテックス、アクリル変性ゴムラテックス、ゴムラテックスと保護コロイド系アクリル共重合エマルジョンとの混合物が耐ブロッキング性、耐経時劣化性、インク着肉性等の点で好適である。
【００１４】
本発明における感圧接着剤層およびまたは後述の上層（この上層も本発明の感圧接着剤層として機能する）中には、感圧接着剤層の接着力を抑制し、あるいは表面に凹凸を形成するための微細粒子を含有させる。
【００１５】
この微細粒子としては、定形微細粒子およびまたは不定形な微細粒子を使用できる。前者の定形微細粒子としては、従来一般的に用いられている微細粒子の全てを用いることができる。
【００１６】
具体的には、一次または二次凝集体を形成しているカルサイト系沈降性炭酸カルシウム、一次または二次凝集体を形成しているアラゴナイト系沈降性炭酸カルシウム、スチレンビーズ、穀物澱粉、変性澱粉、合成微粒子シリカ、通常のカルシウムや、亜鉛、マグネシウム、アルミニウムもしくはチタン等の金属の酸化物、水酸化物、炭酸塩もしくは珪酸塩、またはこれらの混合物などが挙げられる。ポーラスな二次凝集体からなるホワイトカーボンも用いることができる。
【００１７】
後者の不定形な微細粒子としては、パルプセルロースパウダーのような天然繊維や、他の動・植物繊維、または化学繊維をフィブリル化した粒子を用いることができる。パルプセルロースパウダーを使用する場合、これ自体の顕微鏡による観察では２０〜１００μｍの不定形な凹凸を示し、基材の表面粗さを調整して塗工後の表面粗さが０．４〜２５μｍ程度の凹凸をランダムに形成することで得られる。
【００１８】
かかる不定形な微細粒子を感圧接着剤中に含有させた重ね合わせ冊子においては、その表面にフィブリル化された微細な繊維状の突起を含み、たとえば感圧接着剤層表面にまたは表面層の表面に不定形な編み目構造を呈する。
【００１９】
この種の微細粒子は、感圧接着剤に対して１０％以上、好適には２０〜１００％含有されるのが望ましい。感圧接着剤の塗工に際しては、感圧接着剤の基剤を溶剤に溶解するとともに、定形微細粒子およびまたは不定形な微細粒子を混合攪拌し、塗工機や印刷機により基材に塗工する。
【００２０】
この塗工方法としては、エアーナイフコーター、ブレードコーター、カーテンコーター、バーコーター、フレキソ印刷、スクリーン印刷等の塗工・印刷方式による塗工が好適である。
【００２１】
また、重ね合わせ冊子において、冊子基材に感圧接着剤層を設けるほか、１層以上の表面層を設けることができる。
【００２２】
この表面層としては、２層以上設けることもできる。表面層は、感圧接着性の冊子基材としての機能をより高める機能剤の１種または複数種をもって形成する層である。この機能剤としては、多くのものを挙げることができる。
【００２３】
たとえば、代表的には、前記の不定形な微細粒子、酸化防止剤、紫外線吸収防止剤、粘着付与剤、滑剤、顔料、アンチスリップ剤、緩衝剤、帯電防止剤、界面活性剤、増粘剤、消泡剤、離型剤、耐ブロッキング防止剤、プリンタートナー定着剤等がある。
【００２４】
感圧接着剤の塗工が終了した段階または表面層を設ける場合にはその塗工が終了した段階で、その表面を約１〜１０ｋｇ／ｃｍ2で加圧し、表面の過度の突出を平坦にし好適には３０〜５μｍの表面粗さに調整するのが好ましい。
【００２５】
本発明における冊子基材の接着力としては、用途に応じて感圧接着剤の基剤の種類、微細粒子の種類、添加剤の種類、あるいはこれらの配合割合を選択することで調整できるが、好適には、市販のシーラーで圧着した際に、２５ｍｍ幅での剥離強度が２５ｇ以上が好ましい。
【００２６】
各表面層の各層の厚みは２ミクロン以下が望ましく、数層設ける場合には、総厚で５ミクロン以下が望ましく、それ以上になると接着強度が著しく落ちる場合があり、この場合は基材の表面粗さを増したり、より強い接着力を有する感圧接着剤層を設けたりする必要がある。
【００２７】
【発明の効果】
通常では接着せず所定の条件を付与すると剥離可能に接着する感圧接着剤にて複数枚の冊子基材を重ね合わせ、接着できるので、ホッチキス等の綴り具が不要であり、ホットメルト等、再資源化の際に妨げになる接着剤を使用する必要もなく、広げた状態で全体表示できる情報を同一面に記載できるので、情報の位置合わせが不要になり、製造コストの大幅な削減になる。
【図面の簡単な説明】
【図１】
第１の実施の形態を示す概要図である。
【図２】
第１の実施の形態の断面図である。
【図３】
本発明の他の実施例である。
【図４】
従来技術のパンフレットである。
【符号の説明】
１…重ね合わせ冊子、２…冊子基材、３…感圧接着剤、４…第一面、５…第一の情報、６…第二面、７…第二の情報、８…パンフレット、９…ホッチキス。